(57)【要約】【課題】吹出口を開閉するシャッター機構のシャッターを昇降するガイドレールおよびシャッターを前面側に押出す機構の構成を簡素化し、その可動を円滑化するとともに、可動音等の発生を防ぐことができる空気調和機を提供することを目的とする。【解決手段】左右一対のガイドレール２７の上下方向に沿うガイド溝２８内を摺動するガイドピンを介して板状のシャッターが上下に昇降されることにより、吹出口が開閉可能とされている空気調和機にあって、ガイドレール２７にシャッターの下方部を前面側に押出し可能な押出し溝２９がガイド溝２８と連係して設けられており、該押出し溝２９は、溝深さがガイド溝２８よりも浅くされ、シャッターの左右両端面からの突出長さが短くされている下部ガイドピンのみが嵌脱可能な構成とされている。【選択図】図９
2014059078.tif 000002
【特許請求の範囲】
【請求項１】
温調された空気を室内に吹出す吹出口に、該吹出口を開閉するシャッター機構が設けられている空気調和機において、
前記シャッター機構は、前記吹出口の両側に上下方向に設置され、上下方向に沿うガイド溝が設けられている左右一対のガイドレールと、該ガイドレールに沿って昇降し、前記吹出口を開閉する板状のシャッターと、該シャッターの左右両端面の上下に設けられ、前記ガイドレールの前記ガイド溝内を摺動するガイドピンと、前記シャッターを前記ガイドレールに沿って昇降する昇降機構と、を備え、
前記左右一対のガイドレールには、前記シャッターが前記吹出口を閉鎖する位置に上昇されたとき、前記シャッターの下方部を前面側に押出し可能な押出し溝が前記ガイド溝と連係して設けられており、
該押出し溝は、溝深さが前記ガイド溝よりも浅くされ、前記シャッターの左右両端面からの突出長さが短くされている前記下部ガイドピンのみが嵌脱可能な構成とされていることを特徴とする空気調和機。
【請求項２】
前記ガイド溝は、上方部が前面側に向って斜めに傾斜されており、その上端部の前面側への突出位置と、前記押出し溝の先端部の前面側への突出位置とが同位置とされ、前記シャッターが前記ガイド溝および前記押出し溝内を前記吹出口を閉鎖する位置へと移動されたとき、その前面と前面パネルの前面とが略面一となる構成とされていることを特徴とする請求項１に記載の空気調和機。
【請求項３】
前記押出し溝付近より上方の前記ガイドレール表面側の面は、前面側に向って前記シャッターの両端面との間の隙間が漸次狭くなる方向の傾斜面とされていることを特徴とする請求項２に記載の空気調和機。
【請求項４】
前記シャッターの左右両端面の上下に設けられるガイドピンは、ピン長さが同一長さとされた同一構成のガイドピンとされ、前記下部ガイドピンは、前記シャッターの左右両端面からの突出長さが短くなる位置に設置されていることを特徴とする請求項１ないし３のいずれかに記載の空気調和機。
【請求項５】
前記シャッターは、一端が前記昇降機構の上端部に、他端が前記シャッターの下端部にそれぞれ回動自在に結合されたコネクタを介して前記昇降機構と連結されていることを特徴とする請求項１ないし４のいずれかに記載の空気調和機。
【発明の詳細な説明】
【技術分野】
【０００１】
本発明は、温調された空気を室内に吹出す吹出口に、該吹出口を開閉するためのシャッター機構が設けられている空気調和機に関するものである。
【背景技術】
【０００２】
床置き型の空気調和機は、通常、ユニット本体の前面パネルの上部前面に設けられた吹出口から、ユニット本体内で熱交換器を流通することにより温度調整された空気を室内に吹出す構成とされている。このような床置き型空気調和機において、空気調和機の運転時に吹出口を開口し、運転停止時に吹出口を閉鎖するシャッター機構を設けたものが実用化されている。このシャッター機構は、吹出口の両側に上下方向に設けられた一対のガイドレールに沿って昇降自在とされ、吹出口を開閉する板状のシャッターと、その板状シャッターを昇降する昇降機構とを備えた構成とされている。
【０００３】
この板状シャッターは、ガイドレールに沿って上昇し、吹出口を閉鎖した位置で前面側に押出され、前面パネルの前面と面一とされる構成とされている。特許文献１には、シャッターの上部ガイドピンをガイド溝の上方部が前方側へ傾斜されているガイドレールにガイドさせ、シャッターの下部を別のガイドレールに沿って昇降自在とされている左右一対のカムに連結し、そのカムをガイドレールの上端部に設けられている開放傾斜部を介して前方に可動することにより、シャッターの下部を前面側に押出し可能としたものが開示されている。
【先行技術文献】
【特許文献】
【０００４】
【特許文献１】特許第４３２８３５３号公報
【発明の概要】
【発明が解決しようとする課題】
【０００５】
しかしながら、特許文献１のものでは、シャッターの上部と下部とを別々のガイドレールによってガイドしなければならず、シャッターを昇降させるためのガイドレールが複数組必要となるだけでなく、シャッターの下部を前面側に押出す機能を備えたカム構造が必要であり、部品数が増加し、シャッターを昇降するための機構が複雑でかつ高価となる等の課題を有していた。
【０００６】
また、ガイドレールを左右一対の単一レールとし、シャッターの上部ガイドピンと下部ガイドピンが同一のガイド溝内を摺動して昇降する構成とすることも考えられるが、このような構成とした場合、本来、下部ガイドピンがシャッターの下部を前面側に押出す際に摺動すべく、上記ガイド溝と連係する押出し用の溝に対して、上部ガイドピンが進入する可能性があり、シャッターの滑らかな昇降を阻害する虞があった。
【０００７】
本発明は、このような事情に鑑みてなされたものであって、吹出口を開閉するシャッター機構のシャッターを昇降するガイドレールの構成およびシャッターを前面側に押出す機構の構成を簡素化し、その可動を円滑化するとともに、可動音等の発生を防ぐことができる空気調和機を提供することを目的とする。
【課題を解決するための手段】
【０００８】
上記した課題を解決するために、本発明の空気調和機は、以下の手段を採用する。
すなわち、本発明にかかる空気調和機は、温調された空気を室内に吹出す吹出口に、該吹出口を開閉するシャッター機構が設けられている空気調和機において、前記シャッター機構は、前記吹出口の両側に上下方向に設置され、上下方向に沿うガイド溝が設けられている左右一対のガイドレールと、該ガイドレールに沿って昇降し、前記吹出口を開閉する板状のシャッターと、該シャッターの左右両端面の上下に設けられ、前記ガイドレールの前記ガイド溝内を摺動するガイドピンと、前記シャッターを前記ガイドレールに沿って昇降する昇降機構と、を備え、前記左右一対のガイドレールには、前記シャッターが前記吹出口を閉鎖する位置に上昇されたとき、前記シャッターの下方部を前面側に押出し可能な押出し溝が前記ガイド溝と連係して設けられており、該押出し溝は、溝深さが前記ガイド溝よりも浅くされ、前記シャッターの左右両端面からの突出長さが短くされている前記下部ガイドピンのみが嵌脱可能な構成とされていることを特徴とする。
【０００９】
本発明によれば、左右一対のガイドレールの上下方向に沿うガイド溝内を摺動するガイドピンを介して板状のシャッターが上下に昇降されることにより、吹出口が開閉可能とされている空気調和機にあって、ガイドレールにシャッターの下方部を前面側に押出し可能な押出し溝がガイド溝と連係して設けられており、その押出し溝は、溝深さがガイド溝よりも浅くされ、シャッターの左右両端面からの突出長さが短くされている下部ガイドピンのみが嵌脱可能な構成とされているため、シャッターの左右両端面の上下に設けられている全てのガイドピンを、左右一対のガイドレールに設けられているガイド溝内に摺動自在に嵌合し、同一のガイド溝内を摺動自在としても、上部ガイドピンが押出し溝内に嵌入する心配はなく、シャッターを左右一対のガイドレールに沿って円滑に昇降させることができるとともに、シャッターを吹出口の閉鎖位置で前面パネルと略面一に押出す際にも、突出長さが短くされている下部ガイドピンを押出し溝に沿って前面側に押出すだけで、シャッターを前面パネルと略面一位置に押出すことができる。従って、ガイド溝を上部ガイドピン用と下部ガイドピン用とに分ける必要がなく、その構成を簡素化することができるとともに、シャッターの押出し機構を簡素化し、その可動を円滑化して可動音等の発生を防ぐことができる。
【００１０】
さらに、本発明の空気調和機は、上記の空気調和機において、前記ガイド溝は、上方部が前面側に向って斜めに傾斜されており、その上端部の前面側への突出位置と、前記押出し溝の先端部の前面側への突出位置とが同位置とされ、前記シャッターが前記ガイド溝および前記押出し溝内を前記吹出口を閉鎖する位置へと移動されたとき、その前面と前面パネルの前面とが略面一となる構成とされていることを特徴とする。
【００１１】
本発明によれば、ガイドレールのガイド溝の上方部が前面側に向って斜めに傾斜されており、その上端部の前面側への突出位置と、押出し溝の先端部の前面側への突出位置とが同位置とされ、シャッターがガイド溝および押出し溝内を吹出口を閉鎖する位置へと移動されたとき、その前面と前面パネルの前面とが略面一となる構成とされているため、シャッターをガイドレールの前面側に向って傾斜されているガイド溝に沿って吹出口を閉鎖する上端位置まで上昇させた後、シャッターの下部ガイドピンを押出し溝の先端部まで押出すことによって、シャッターの前面と前面パネルの前面とを自動的に略面一にすることができる。従って、ガイド溝の上端部位置と押出し溝の先端部位置の位置設定のみで、簡単にシャッターの前面と前面パネルの前面とを面一にして吹出口を閉鎖することができ、吹出口閉鎖時のデザイン性を確保し見栄えを向上することができる。
【００１２】
さらに、本発明の空気調和機は、上記の空気調和機において、前記押出し溝付近より上方の前記ガイドレール表面側の面は、前面側に向って前記シャッターの両端面との間の隙間が漸次狭くなる方向の傾斜面とされていることを特徴とする。
【００１３】
本発明によれば、押出し溝付近より上方のガイドレール表面側の面は、前面側に向ってシャッターの両端面との間の隙間が漸次狭くなる方向の傾斜面とされているため、シャッターがガイド溝内を摺動して昇降される際には、その両端面とガイドレールの表面との間に一定の隙間を確保してシャッターを円滑に昇降させることができる一方、シャッターが吹出口を閉鎖する位置で前面側に押出されたときには、隙間を小さくしガタが生じないようにして吹出口を閉鎖することができる。従って、シャッターの昇降時の可動性と、シャッターによる吹出口の閉鎖性の双方を共に向上することができる。
【００１４】
さらに、本発明の空気調和機は、上述のいずれかの空気調和機において、前記シャッターの左右両端面の上下に設けられるガイドピンは、ピン長さが同一長さとされた同一構成のガイドピンとされ、前記下部ガイドピンは、前記シャッターの左右両端面からの突出長さが短くなる位置に設置されていることを特徴とする。
【００１５】
本発明によれば、シャッターの左右両端面の上下に設けられるガイドピンが、ピン長さが同一長さとされた同一構成のガイドピンとされ、下部ガイドピンが、シャッターの左右両端面からの突出長さが短くなる位置に設置されているため、シャッターの左右両端面の上下に設けられる全てのガイドピンを１種のガイドピンで共用化することができ、しかもシャッターの左右両端面からの突出長さを短くしなければならない下部ガイドピンについては、その設置位置を変更することによりピンの突出長さを短くすることができる。従って、ガイドピンの共通化により、部品点数の削減、組み立ての容易化、コスト低減等を図ることができる。
【００１６】
さらに、本発明の空気調和機は、上述のいずれかの空気調和機において、前記シャッターは、一端が前記昇降機構の上端部に、他端が前記シャッターの下端部にそれぞれ回動自在に結合されたコネクタを介して前記昇降機構と連結されていることを特徴とする。
【００１７】
本発明によれば、シャッターが、一端が昇降機構の上端部に、他端がシャッターの下端部にそれぞれ回動自在に結合されたコネクタを介して昇降機構と連結されているため、シャッターを昇降機構により吹出口を閉鎖する位置に上昇する際、上部ガイドピンがガイド溝の上端部に達しそれ以上上昇できなくなった後も、昇降機構を上昇することによりコネクタが傾動し、この動作でシャッターの下部を押出し溝に沿って下部ガイドピンが押出し溝の先端部に当たるまで押出すことにより、シャッターの前面を前面パネルの前面と略面一にすることができる。従って、昇降機構の単純な昇降動作のみで、簡易にシャッターを吹出口を閉鎖する所定の位置に可動することができ、ガイド溝内を摺動し、その端部で傾動するカム等を省くことにより、構成の簡素化を図ることができる。
【発明の効果】
【００１８】
本発明によると、シャッターの左右両端面の上下に設けられる全てのガイドピンを、左右一対のガイドレールに設けられているガイド溝内に摺動自在に嵌合し、同一のガイド溝内を摺動自在としても、上部ガイドピンが押出し溝内に嵌入する心配はなく、シャッターを左右一対のガイドレールに沿って円滑に昇降させることができるとともに、シャッターを吹出口の閉鎖位置で前面パネルと略面一に押出す際にも、突出長さが短くされている下部ガイドピンを押出し溝に沿って前面側に押出すだけでシャッターを前面パネルと略面一位置に押出すことができるため、ガイド溝を上部ガイドピン用と下部ガイドピン用とに分ける必要がなく、その構成を簡素化することができるとともに、シャッターの押出し機構を簡素化し、その可動を円滑化して可動音等の発生を防ぐことができる。
【図面の簡単な説明】
【００１９】
【図１】本発明の一実施形態に係る空気調和機の外観斜視図である。
【図２】図１に示す空気調和機の上部前面パネルを取外した状態の斜視図である。
【図３】図１に示す空気調和機の下部前面パネルを取外し、吹出口を開閉するシャッターを上部前面パネルの背面側に下降収容した状態の縦断面図である。
【図４】図３に示すシャッターを吹出口の上方端付近まで上昇させた状態の縦断面図である。
【図５】図４に示すシャッターを更に上昇させ、前面側へ押出した状態の縦断面図である。
【図６】上記シャッターを正面側から見た状態の斜視図である。
【図７】上記シャッターの両端面の上部に設けられている上部ガイドピンの設置状態を示す斜視図である。
【図８】上記シャッターの両端面の下部に設けられている下部ガイドピンの設置状態を示す斜視図である。
【図９】上記シャッターの昇降をガイドするガイドレールの側面図である。
【図１０】図９中におけるａ−ａ断面相当図である。
【図１１】図９中におけるｂ−ｂ断面相当図である。
【図１２】上記シャッターを昇降する昇降機構の組み付け状態の斜視図である。
【図１３】上記シャッターの昇降機構におけるラックホルダガイドの下部側をガイドレールに組み付ける際の状態の斜視図である。
【図１４】図１３に示すラックホルダガイドの下部側をガイドレールに組み付けた後の状態の斜視図である。
【図１５】上記シャッターと昇降機構とをコネクタにより結合したシャッター機構の図３の状態での側面図である。
【図１６】図１５に示すシャッター機構の図４の状態での側面図である。
【図１７】図１５に示すシャッター機構の図５の状態での側面図である。
【発明を実施するための形態】
【００２０】
以下に、本発明の一実施形態について、図１ないし図１７を参照して説明する。
図１には、本発明の一実施形態に係る床置き型の空気調和機の外観斜視図が示され、図２には、その上部前面パネルを取外した状態の斜視図、図３には、その下部前面パネルを取外し、吹出口を開閉するシャッターを上部前面パネルの背面側に下降収容した状態の縦断面図が示されている。
床置き型の空気調和機１は、ベース板３上に設置される背面パネル４、左・右側面パネル５、前面パネル６および天井パネル７等から組み立てられる縦長直方体形状のユニット本体２を備えている。
【００２１】
前面パネル６は、両サイドに後方への延長部を備えたＵ字断面形状のパネルで、上下に２分割されており、下部前面パネル６Ａの両側部には、室内空気を吸込むための吸込グリル８が設けられ、上部前面パネル６Ｂの上方部前面には、温度調整された空気を室内に吹出す吹出口９が設けられている。吹出口９には、該吹出口９を開閉するシャッター機構１０が設けられている。このシャッター機構１０は、後述の如く構成され、空気調和機１の運転停止時、吹出口９を閉鎖し、空気調和機１の運転時、吹出口９を開口状態とするものである。
【００２２】
下部前面パネル６Ａの背面側、すなわちユニット本体２の内部には、図６に示されるように、吸込グリル８からエアフィルタを介して吸込んだ室内空気をユニット本体２の上方部に向けて圧送するシロッコファン等の送風機１１が組み込まれている。この送風機１１の吹出口１２は、ユニット本体２内に鉛直方向に形成されている風路１３に対して接続されている。風路１３中には、縦方向に長い長方形状のプレートフィンチューブ型の熱交換器１４が、下端部を前方側に、上端部を後方側に位置させて斜めに傾斜配置されている。
【００２３】
熱交換器１４は、送風機１１により鉛直方向の風路１３を下方から上方に向って圧送される空気を流通し、その間に冷媒と熱交換させて冷却または加熱することにより、設定温度の空調風として吹出口９から室内へと吹出すためのものである。熱交換器１４は、冷媒ガス管および冷媒液管からなる冷媒配管を介して室外ユニット側に接続され、公知の冷凍サイクルを構成している。また、熱交換器１４の下端部の下方位置には、ドレンパン１５が配置されており、熱交換器１４の表面で凝縮し流下するドレン水を集め、ドレン配管を介して室外に排出する構成とされている。
【００２４】
熱交換器１４で温調された空調風は、上部前面パネル６Ｂの上方部前面に設けられている吹出口９から直角方向に流れが変換されて室内へと吹出されるが、その吹出風の風向を調整するため、吹出口９には、鉛直方向に複数枚の縦ルーバ１６、水平方向に複数枚の水平ルーバ１７が各々回動可能に配設されている。また、熱交換器１４の上方部には、空調風を吹出口９の下部コーナー部分で直角方向に変更する際、剥離を抑制して風量の低下や騒音の発生を防止し、滑らかに吹出口９へと導くためのガイドベーン１８がブラケット部１９を介して熱交換器１４の側板に固定設置されている。
【００２５】
吹出口９を開閉するシャッター機構１０は、吹出口９に上下方向に沿ってガイドを介して昇降自在に設置されるシャッター２０と、このシャッター２０を昇降する昇降機構２１とから構成されている。シャッター２０は、図６に示されるように、吹出口９と略同等の大きさを有する横長長方形状の樹脂製の板材であり、両端面の上下位置に樹脂製の上部ガイドピン２２および下部ガイドピン２３が設けられている。この上部ガイドピン２２および下部ガイドピン２３は、後述するガイドレール２７のガイド溝２８内を摺動するものであり、両端面からの突出長さが異なる構成とされている。
【００２６】
上部ガイドピン２２および下部ガイドピン２３は、図７、図８に示されるように、ビス２４の貫通穴が設けられている矩形状の取付け部２５と、この取付け部２５の一辺から鉛直に突出されている所定長さの円筒状ピン２６とを有する同一構成のガイドピンとされている。上部ガイドピン２２は、図７に示されるように、このガイドピンの円筒状ピン２６がシャッター２０の端面から目一杯突出される位置に取付け部２５が設置されることによって、シャッター２０の端面からの突出長さが長くされており、一方、下部ガイドピン２３は、図８に示されるように、取付け部２５がシャッター２０の端面から所定寸法内側に入った位置に設置されることにより、円筒状ピン２６のシャッター２０の端面からの突出長さが上部ガイドピン２２の比べ、所定の寸法だけ短くされている。
【００２７】
シャッター２０は、吹出口９の両側の内面に上下方向に設置されている左右一対の樹脂製ガイドレール２７に沿って昇降自在とされている。ガイドレール２７は、図９ないし図１１に示されるように、上方部分が少し幅広とされており、その内表面側には、上部ガイドピン２２および下部ガイドピン２３が摺動する上下方向に延長された一定深さのガイド溝２８が設けられている。このガイド溝２８の上方部２８Ａは、所定の上方位置から前面側に向って斜めに傾斜されており、シャッター２０により吹出口９を閉鎖したとき、シャッター２０の上方部前面を上部前面パネル６Ｂの前面と略面一となる位置まで前進させることができる構成とされている。
【００２８】
また、ガイド溝２８の上下方向の中央位置、すなわちシャッター２０の上昇により上部ガイドピン２２がガイド溝２８の上端位置に達したとき、下部ガイドピン２３が上昇した位置と対応する位置に、シャッター２０の下方部を前面側に押出すための押出し溝２９がガイド溝２８と連係して水平方向に設けられている。この押出し溝２９は、図１０に示されるように、溝深さがガイド溝２８よりも浅くされ、シャッター２０の左右両端面からの突出長さが短くされている下部ガイドピン２３のみが嵌脱可能な構成とされており、上部ガイドピン２２は、押出し溝２９内に侵入不可とされている。
【００２９】
押出し溝２９の前面側に突出した先端部２９Ａの位置は、ガイド溝２８の前方側に傾斜した上方部２８Ａの上端の前面側への突出位置と同位置とされており、シャッター２０の上部ガイドピン２２および下部ガイドピン２３がガイド溝２８および押出し溝２９内を吹出口９を閉鎖する位置へと移動されたとき、その前面と上部前面パネル６Ｂの前面とが略面一となるように構成されている。また、ガイドレール２７の少し幅広とされている上方部分は、図１０に示されるように、ガイドレール表面側の面が、前面側に向ってシャッター２０の両端面との間の隙間が漸次狭くなる方向の傾斜面３０とされている。
【００３０】
このように、シャッター２０は、ガイドレール２７に沿って昇降され、上部ガイドピン２２がガイド溝２８内を上端位置まで上昇されるとともに、下部ガイドピン２３が押出し溝２９の先端部２９Ａに押出されることによって、吹出口９を閉鎖し、その閉鎖位置においては、シャッター２０の前面が上部前面パネル６Ｂの前面と略面一とされるようになっている。また、ガイド溝２８内をその下端位置まで下降されることにより、図３に示されるように、上部前面パネル６Ｂの背面側と、ユニット本体２内に設置されたベース３１との間に形成されている収容空間３２内に収容されるようになっている。
【００３１】
一方、上記シャッター２０を昇降する昇降機構２１は、図２および図１２に示されるように、ベース３１に対して所定の間隔で上下方向に平行に設置された左右一対のガイドレール４０と、このガイドレール４０に対してガイドピン４２を介して上下方向に摺動自在に組み込まれたギアホルダガイド４１と、該ギアホルダガイド４１と一体に上下方向に設けられた所定長さのラックギア４３と、ベース３１に固定設置され、ガイドレール４０に沿ってギアホルダガイド４１を昇降するための駆動モータ４４と、該モータ４４の出力軸４５に固定され、ラックギア４３と噛み合わされたギア４６（図２参照）とから構成されている。
【００３２】
ガイドレール４０は、長さ方向に沿うレール溝等のレール部（図示省略）が一体に成形された樹脂製のレールであり、ビス等を介してベース３１上に固定設置されている。ギアホルダガイド４１は、縦長長方形状の枠体であり、その枠体内の略中央部位にラックギア４３が長さ方向に沿って複数本の補強用横格子４１Ａを介して一体に樹脂成形されたものである。また、ガイドピン４２は、樹脂材による一体成形品であり、ギアホルダガイド４１の長手方向の左右両側面の上下位置に合計４個設けられており、ガイドレール４０内のレール部内を摺動自在とされている。
【００３３】
これによって、昇降機構２１は、駆動モータ４４が正逆回転されることによりギア４６が回転され、このギア４６と噛み合っているラックギア４３が上下方向に移動されることにより、ラックギア４３と一体をなすギアホルダガイド４１が上部および下部のガイドピン４２を介してガイドレール４０に沿い上下方向に昇降される構成とされている。
【００３４】
駆動モータ４４は、ベース３１に裏面側からネジ止め固定され、出力軸４５が表面側に突出されるように設置されている。昇降機構２１は、この駆動モータ４４の表面側にガイドレール４０を設置し、ギアホルダガイド４１を摺動自在に組み込んだ構成とされているため、駆動モータ４４を固定設置した後、ギアホルダガイド４１をガイドレール４０に組み付けようとすると、出力軸４５が邪魔になる。しかし、ガイドレール４０にガイドレール４０を挿入後に駆動モータ４４を設置しようとすると、昇降機構２１を数回ひっくり返しながら組み立てる必要があり、組み立て性が低下する。
【００３５】
そこで、本実施形態においては、左右一対のガイドレール４０の駆動モータ４４の出力軸４５よりも上方側の位置に、ガイドレール４０の一部を切欠いた切欠き部４７を設けた構成とし、この切欠き部４７からギアホルダガイド４１に設けているガイドピン４２をガイドレール４０のレール部内に挿入とすることにより、駆動モータ４４の設置後、出力軸４５の突出にも拘らず、ギアホルダガイド４１をガイドレール４０に対して組み付け可能な構成としている。そして、ギアホルダガイド４１を組み付け後、切欠き部４７にレール部を復元するレールカバー４８をビス等で着脱自在に固定設置することにより、ガイドレール４０のレール機能が損なわれない構成としている。
【００３６】
このように、シャッター２０を昇降する昇降機構２１は、駆動モータ４４が正逆回転することにより、ギアホルダガイド４１をガイドレール４０に沿って上下方向に所定のストローク昇降可能な構成とされている。昇降機構２１には、図１２および図１５に示されるように、ギアホルダガイド４１の上端部にコネクタ４９の一端が軸５０を介して回動自在に結合されており、このコネクタ４９の他端が軸５１を介してシャッター２０の下端部に回動自在に連結されている。このため、昇降機構２１の昇降によりコネクタ４９を介してシャッター２０が昇降される構成とされている。
【００３７】
つまり、シャッター２０および昇降機構２１は、空気調和機１が運転中、図３に示されるように、上部前面パネル６Ｂ背面の収容空間３２内に収容されている。図１５に、この時のシャッター２０および昇降機構２１のガイドレール２７，４０内での姿勢が示されている。空気調和機１の運転が停止され、吹出口９をシャッター２０で閉鎖する際、駆動モータ４４が回転すると、ギア４６と噛み合っているラックギア４３が移動され、これと一体のギアホルダガイド４１がガイドレール４０に沿って上下方向に摺動し、コネクタ４９を介してシャッター２０がガイドレール２７に沿って押し上げられ、上昇される。
【００３８】
シャッター２０は、ガイドレール２７のガイド溝２８に沿って上昇されるため、前面側に傾斜したガイド溝２８の上方部２８Ａに達すると、上部ガイドピン２２が上方部２８Ａにガイドされ、シャッター２０の上方部が、図４に示されるように、前面側に徐々に前進される。そして、上部ガイドピン２２がガイド溝２８の上端部に達すると、シャッター２０の上昇がストップされる。図１６に、この時のシャッター２０および昇降機構２１のガイドレール２７，４０内での姿勢が示されており、シャッター２０の上方部が前面側に傾斜された状態とされている。
【００３９】
この状態から更に昇降機構２１が上昇されると、シャッター２０がガイド溝２８の上端位置で停止されているため、コネクタ４９が傾動しながらシャッター２０の下端部を前方側に押出すように動作する。この動作でシャッター２０の下部ガイドピン２３がガイド溝２８から押出し溝２９に入り込み、押出し溝２９の先端部２９Ａまで移動される結果、シャッター２０の下端部が前面側に押出される。これによって、図５に示されるように、シャッター２０の上端部、下端部が共に上部前面パネル６Ｂの前面と略面一とされ、吹出口９が閉鎖される。図１７に、この時のシャッター２０および昇降機構２１のガイドレール２７，４０内での姿勢が示されており、シャッター２０とギアホルダガイド４１が鉛直方向に平行状態とされるようになっている。
【００４０】
斯くして、本実施形態によると、以下の作用効果を奏する。
空調風を室内に吹出す吹出口９を空気調和機１の運転時に開口し、停止時に閉鎖するシャッター機構１０は、吹出口９を開閉可能な板状のシャッター２０と、このシャッター２０をガイドレール２７に沿って昇降する昇降機構２１とを備えており、吹出口９の両側に設けられた左右一対のガイドレール２７の上下方向に沿うガイド溝２８内を摺動するガイドピン２２，２３を介して板状のシャッター２０が上下方向に昇降されることにより、吹出口９が開閉可能とされている。
【００４１】
このガイドレール２７には、シャッター２０の下方部を前面側に押出し可能な押出し溝２９がガイド溝２８と連係して設けられており、その押出し溝２９は、溝深さがガイド溝２８よりも浅くされ、シャッター２０の左右両端面からの突出長さが短くされている下部ガイドピン２３のみが嵌脱可能な構成とされている。このため、シャッター２０の左右両端面の上下に設けられている全てのガイドピン２２，２３を、左右一対のガイドレール２７に設けられているガイド溝２８内に摺動自在に嵌合し、同一のガイド溝２８内を摺動自在としても、上部ガイドピン２２が押出し溝２９内に嵌入する心配はなく、シャッター２０を左右一対のガイドレール２７に沿って円滑に昇降させることができる。
【００４２】
また、シャッター２０を吹出口９の閉鎖位置で上部前面パネル６Ｂの前面と略面一となる位置に押出す際にも、突出長さが短くされている下部ガイドピン２３を押出し溝２９に沿って前面側に押出すだけで、シャッター２０を上部前面パネル６Ｂと略面一位置に押出すことができる。
従って、ガイド溝２８を上部ガイドピン２２用と下部ガイドピン２３用とに分ける必要がなく、その構成を簡素化することができるとともに、シャッター２０を前方側に押出すための機構を簡素化し、その可動を円滑化して可動音等の発生を防ぐことができる。
【００４３】
また、ガイドレール２７のガイド溝２８の上方部２８Ａが前面側に向って斜めに傾斜されており、その上端部の前面側への突出位置と、押出し溝２９の先端部２９Ａの前面側への突出位置とが同位置とされ、シャッター２０がガイド溝２８および押出し溝２９内を吹出口９を閉鎖する位置へと移動されたとき、その前面と上部前面パネル６Ｂの前面とが略面一となる構成とされている。
【００４４】
このため、シャッター２０をガイドレール２７の前面側に向って傾斜されているガイド溝２８に沿って吹出口９を閉鎖する上端位置まで上昇させた後、シャッター２０の下部ガイドピン２３を押出し溝２９の先端部２９Ａまで押出すことにより、シャッター２０の前面と上部前面パネル６Ｂの前面とを自動的に略面一にすることができる。従って、ガイド溝２８の上端部位置と押出し溝２９の先端部２９Ａの位置設定のみで、簡単にシャッター２０の前面と上部前面パネル６Ｂの前面とを面一にして吹出口９を閉鎖でき、吹出口９の閉鎖時のデザイン性を確保し見栄えを向上することができる。
【００４５】
また、押出し溝２９付近より上方のガイドレール２７の表面側の面は、前面側に向ってシャッター２０の両端面との間の隙間が漸次狭くなる方向の傾斜面３０とされている。このため、シャッター２０がガイド溝２８内を摺動して昇降される際には、その両端面とガイドレール２７の表面との間に一定の隙間を確保してシャッター２０を円滑に昇降させることができる一方、シャッター２０が吹出口９を閉鎖する位置において前面側に押出されたときには、隙間を小さくすることでガタが生じないようにして吹出口９を閉鎖することができる。従って、シャッター２０の昇降時の可動性と、シャッター２０による吹出口９の閉鎖性の双方を共に向上することができる。
【００４６】
さらに、本実施形態では、シャッター２０の左右両端面の上下に設けられる上部および下部ガイドピン２２，２３が、ピン２６の長さが同一長さとされた同一構成のガイドピンとされ、下部ガイドピン２３が、シャッター２０の左右両端面からの突出長さが短くなる位置に設置された構成とされている。このため、シャッター２０の左右両端面の上下に設けられる全てのガイドピン２２，２３を１種のガイドピンで共用化することができ、しかもシャッター２０の左右両端面からの突出長さを短くしなければならない下部ガイドピン２３については、その設置位置を変更することによってピン２６の突出長さを短くすることができる。従って、上部および下部ガイドピン２２，２３の共通化により、部品点数の削減、組み立ての容易化、コスト低減等を図ることができる。
【００４７】
また、シャッター２０が、一端が昇降機構２１の上端部に、他端がシャッター２０の下端部にそれぞれ回動自在に結合されたコネクタ４９を介して昇降機構２１と連結された構成とされているため、シャッター２０を昇降機構２１により吹出口９を閉鎖する位置に上昇する際、上部ガイドピン２２がガイド溝２８の上端部に達しそれ以上上昇できなくなった後も、昇降機構２１を上昇することによりコネクタ４９が傾動し、その動作でシャッター２０の下部を押出し溝２９に沿って下部ガイドピン２３が押出し溝２９の先端部に当たるまで押出すことにより、シャッター２０の前面を上部前面パネル６Ｂの前面と略面一にすることができる。
【００４８】
従って、昇降機構２１の単純な昇降動作のみで、簡易にシャッター２０を吹出口９を閉鎖する所定の位置に可動することができ、ガイド溝内を摺動し、その端部で傾動するカム等を省くことにより、構成の簡素化を図ることができる。
【００４９】
なお、本発明は、上記実施形態にかかる発明に限定されるものではなく、その要旨を逸脱しない範囲において、適宜変形が可能である。例えば、上記実施形態では、上部ガイドピン２２と下部ガイドピン２３を同一構成のガイドピンとし、共用化した例について説明したが、ピン長さが異なる別構成のガイドピンを用いた構成としてもよいことはもちろんである。また、この上部ガイドピン２２および下部ガイドピン２３と、昇降機構２１のギアホルダガイド４１に設ける上部および下部ガイドピン４２Ａ，４２Ｂとを共通化した構成としてもよい。
【００５０】
さらに、上記実施形態では、シャッター２０を昇降する昇降機構２１において、ギアホルダガイド４１とラックギア４３とを樹脂による一体成形品としているが、必ずしも一体成形品である必要はなく、別体で成形したものを組み合わせた構成としもよい。また、ギアホルダガイド４１は枠体としているが、板材の一部を長方形状に打抜き、その打抜き部の端面にラックギア４３を設けたものとしてもよい。
【符号の説明】
【００５１】
１  空気調和機
６  前面パネル
９  吹出口
１０  シャッター機構
２０  シャッター
２１  昇降機構
２２  上部ガイドピン
２３  下部ガイドピン
２６  ピン
２７  ガイドレール
２８  ガイド溝
２８Ａ  上方部
２９  押出し溝
２９Ａ  先端部
３０  傾斜面
４９  コネクタ
５０，５１  軸
【図１】
2014059078.tif 000003
【図２】
2014059078.tif 000004
【図３】
2014059078.tif 000005
【図４】
2014059078.tif 000006
【図５】
2014059078.tif 000007
【図６】
2014059078.tif 000008
【図７】
2014059078.tif 000009
【図８】
2014059078.tif 000010
【図９】
2014059078.tif 000011
【図１０】
2014059078.tif 000012
【図１１】
2014059078.tif 000013
【図１２】
2014059078.tif 000014
【図１３】
2014059078.tif 000015
【図１４】
2014059078.tif 000016
【図１５】
2014059078.tif 000017
【図１６】
2014059078.tif 000018
【図１７】
2014059078.tif 000019